(57)【要約】      （修正有）【課題】竹ざるのすのこ部の周縁部を縁取りする縁取り部材として、同周縁部に補強材として副えられる金属枠体を腐食させず、また、仮に腐食した場合の鉄錆等による汚れや変色がしにくく、耐久性に優れ、安価で、入手し易い素材を用いてなる竹ざるを提供する。【解決手段】食品を盛り付けるために使用され、複数本の竹ひごの編組体からなるすのこ部２の周縁部が、帯ひも状の縁取り部材４によって縁取りされてなる、竹ざるにおいて、すのこ部２の周縁部には、断面円形のリング状の金属枠体７が、補強材として副えられており、縁取り部材４は、すのこ部２の周縁部を内部に取り込みつつ、金属枠体７の断面円形の周囲を巡り、金属枠体７のリングの全周に沿って巻き付けられていて、合成樹脂素材から製作されている。この合成樹脂素材は、顔料を混入されて、天然素材の籐の漂白された色に着色されたポリプロピレンとされている。【選択図】図２
0003181371.tif 000002
【実用新案登録請求の範囲】
【請求項１】
食品を盛り付けるために使用され、複数本の竹ひごの編組体からなるすのこ部の周縁部が、帯ひも状の縁取り部材によって縁取りされてなる、竹ざるにおいて、
前記すのこ部の周縁部には、断面円形のリング状の金属枠体が、補強材として副えられており、
前記縁取り部材は、前記すのこ部の周縁部を内部に取り込みつつ、前記金属枠体の断面円形の周囲を巡り、前記金属枠体のリングの全周に沿って巻き付けられていて、合成樹脂素材から製作されている、
ことを特徴とする竹ざる。
【請求項２】
前記合成樹脂素材は、ポリプロピレンであることを特徴とする請求項１に記載の竹ざる。
【請求項３】
前記ポリプロピレンは、顔料を混入されて、天然素材の籐の漂白された色に着色されていることを特徴とする請求項２に記載の竹ざる。
【請求項４】
前記縁取り部材は、その両側端部の各々が、前記縁取り部材の横断面図において、前記縁取り部材が前記すのこ部の周縁部を縁取りしたとき内面となる側にわずかに湾曲させられており、しかも、先端に行くに従い先細る形状にされている
ことを特徴とする請求項１ないし３のいずれかに記載の竹ざる。
【請求項５】
前記金属枠体は、亜鉛メッキされた鉄線材からなることを特徴とする請求項１ないし４のいずれかに記載の竹ざる。
【請求項６】
前記すのこ部の周縁部には、それを上下に挟み、前記金属枠体の全周に沿うようにして、一対の断面円形のリング状の形状保持部材が、更に副えられており、
前記縁取り部材が、一対の前記形状保持部材を内部に更に取り込みつつ、前記金属枠体の断面円形の周囲を巡り、前記金属枠体のリングの全周に沿って巻き付けられている、
ことを特徴とする請求項１ないし５のいずれかに記載の竹ざる。
【考案の詳細な説明】
【技術分野】
【０００１】
本願の考案は、そば、うどん、そうめんのような麺類を中心とした各種食品を盛り付けるために使用される竹ざるに関し、特に、竹ざるのすのこ部の周縁部を縁取りする帯ひも状の縁取り部材の素材の選択に工夫を施した竹ざるに関する。
【背景技術】
【０００２】
冷水で冷やした、そば、うどん、そうめんのような麺類を水切りして盛り付けるために使用される容器としては、従来、竹ざる、竹のすのこを敷いたせいろ、すのこを敷いた皿や鉢等が広く用いられている。これらの中で、竹ざるに関し、本出願人は、先に、食品が盛られた状態を壊すことなく、複数枚の竹ざるを重ね置きすることができるようにされた新規な竹ざるを考案して、実用新案登録を得た（特許文献１、２）。
【０００３】
ところで、竹ざるは、本出願人の竹ざるを含め、一般に、図８に示されるように、複数本の竹ひごの編組体からなるすのこ部０２の周縁部が、明るい白色系の帯ひも状の縁取り部材０４によって縁取りされて仕上げられている。この場合、すのこ部０２の周縁部には、図示されない断面円形のリング状の金属枠体（わっか）が、竹ざる０１の補強材として副えられることが多く、縁取り部材０４は、すのこ部０２の周縁部を内部に取り込みつつ、この金属枠体の断面円形の周囲を巡り、この金属枠体のリングの全周に沿って巻き付けられて、すのこ部０２の周縁部が縁取されるようになっている。金属枠体としては、通常、亜鉛メッキされた鉄線材が使用されている。なお、図８において、符号０３は、このようにして仕上げられた竹ざる０１の縁取り部を示す。この縁取り部０３は、竹ざる０１のすのこ部０２の周縁部の縁取りに係わる。
【０００４】
ここで、縁取り部材０４としては、従来、天然の植物素材である籐を帯ひも状に加工したものを過酸化水素水で漂白し、次いで、氷酢酸で中和した後、水洗して乾燥させたものが使用されている。
しかしながら、従来の、籐を縁取り部材０４の素材として使用する竹ざる０１の製作過程においては、籐を漂白し、中和する工程において、中和時に、素材に含浸した氷酢酸が、中和工程の氷酢酸処理後に水洗した後にも、素材組織内に残留することがあり、この残留氷酢酸により、縁取り部材０４と接触している金属枠体表面の亜鉛メッキ層が腐食したり、使用中に、金属枠体と縁取り部材０４との機械的摩擦や、金属枠体とすのこ部０２の周縁部との機械的摩擦によって亜鉛メッキ層が剥離したりして、金属枠体の表面に芯部の鉄の部分が露出して、鉄錆を生じさせるという事態が起こっていた。
【０００５】
このように、金属枠体の芯部の鉄の部分が露出して鉄錆を生じると、この鉄錆が、縁取り部材０４の素材である籐の繊維に染み込んで表面を変色させ、錆染み０１０が表れて食感を殺ぐような悪い見栄えとなり、また、変色した部分から破断して、竹ざる０１を廃棄せざるを得ない状況になったりして、耐久性を損なっていた。また、籐が天然の植物素材であるため、汚れが付き易く、この点からも、耐久性の点で問題があった。
さらに、籐の素材自体が、原産地から輸入しにくくなってきつつあり、その価格も高くなってきているという問題もある。
【先行技術文献】
【特許文献】
【０００６】
【特許文献１】実用新案登録第３１７１０８８号公報
【特許文献２】実用新案登録第３１７５２４９号公報
【考案の開示】
【考案が解決しようとする課題】
【０００７】
本願の考案は、従来の竹ざるが有する前記のような問題点を解決して、竹ざるのすのこ部の周縁部を縁取りする帯ひも状の縁取り部材として、すのこ部の周縁部に竹ざるの補強材として副えられる金属枠体（わっか）を腐食させることなく、また、仮に腐食した場合の、その鉄錆その他による汚れや変色がしにくく、天然素材の籐の帯ひもよりも耐久性に優れ、かつ、安価で、入手し易い素材を用いてなる竹ざるを提供することを課題とする。
【課題を解決するための手段】
【０００８】
前記のような課題は、本願の実用新案登録請求の範囲の各請求項に記載された次のような考案により解決される。
すなわち、その請求項１に記載された考案は、食品を盛り付けるために使用され、複数本の竹ひごの編組体からなるすのこ部の周縁部が、帯ひも状の縁取り部材によって縁取りされてなる、竹ざるにおいて、前記すのこ部の周縁部には、断面円形のリング状の金属枠体が、補強材として副えられており、前記縁取り部材は、前記すのこ部の周縁部を内部に取り込みつつ、前記金属枠体の断面円形の周囲を巡り、前記金属枠体のリングの全周に沿って巻き付けられていて、合成樹脂素材から製作されている、ことを特徴とする竹ざるである。
【０００９】
請求項１に記載された考案は、前記のように構成されているので、縁取り部材を製造する工程で、素材の漂白と中和工程がなく、氷酢酸のような薬品を使用しないため、金属枠体の表面が薬品で腐食される問題が生じない。仮に、使用中に、金属枠体の表面に腐食、例えば、鉄錆が発生するという事態が起こっても、縁取り部材の素材が合成樹脂であるため、鉄錆がその内部に染み込まないので、その表面が変色することはない。このため、食品容器として、食感が殺がれるような悪い見栄えとなることはなく、縁取り部材の変色部から破断するようなことも生じず、竹ざるの耐久性が向上する。
また、合成樹脂素材の表面は、籐のような天然素材の表面のように細かい凹凸がなく、非常に滑らかなため、汚れが付きにくく、この面からも、竹ざるの耐久性が向上する。
さらに、縁取り部材としての合成樹脂素材は、安価であり、入手が容易である。
【００１０】
また、その請求項２に記載された考案は、請求項１に記載の竹ざるにおいて、前記合成樹脂は、ポリプロピレンであることを特徴としている。
【００１１】
請求項２に記載された考案は、前記のように構成されており、ポリプロピレンは、食品容器の材料として一般的に使用されている合成樹脂であり、食品衛生上安全な材料であるので、安心して使用できる。
【００１２】
また、その請求項３に記載された考案は、請求項２に記載の竹ざるにおいて、前記ポリプロピレンは、顔料を混入されて、天然素材の籐の漂白された色に着色されていることを特徴としている。
【００１３】
請求項３に記載された考案は、前記のように構成されているので、縁取り部材の素材が合成樹脂であるにもかかわらず、籐のような自然な色合いであり、竹ざるのすのこ部の周縁部の縁取り部材として違和感のない製品に竹ざるを仕上げることができる。また、顔料を混入したポリプロピレンの材質試験及び溶出試験を行ったが、全く問題はなく、竹ざるを安全な食品容器として製作することができる。
【００１４】
さらに、その請求項４に記載された考案は、請求項１ないし３のいずれかに記載の竹ざるにおいて、前記縁取り部材は、その両側端部の各々が、前記縁取り部材の横断面図において、前記縁取り部材が前記すのこ部の周縁部を縁取りしたとき内面となる側にわずかに湾曲させられており、しかも、先端に行くに従い先細る形状にされていることを特徴としている。
【００１５】
請求項４に記載された考案は、前記のように構成されているので、縁取り部材により、竹ざるのすのこ部の周縁部を縁取りして行くに際して、湾曲部（先細形状部）が弾性復元して、すのこ部の周縁部の取り込みや、金属枠体の巻き込みを含めた、竹ざるの縁取り部の締め込みを十分に効かすことができることになり、強度の高い竹ざるを製作することができる。また、この部分を手触り良く仕上げることができる。
【００１６】
また、その請求項５に記載された考案は、請求項１ないし４のいずれかに記載の竹ざるにおいて、前記金属枠体は、亜鉛メッキされた鉄線材からなることを特徴としている。
【００１７】
請求項５に記載された考案は、前記のように構成されているので、金属枠体を安価に製作することができる。
【００１８】
また、その請求項６に記載された考案は、請求項１ないし５のいずれかに記載の竹ざるにおいて、前記すのこ部の周縁部には、それを上下に挟み、前記金属枠体の全周に沿うようにして、一対の断面円形のリング状の形状保持部材が、更に副えられており、前記縁取り部材が、一対の前記形状保持部材を内部に更に取り込みつつ、前記金属枠体の断面円形の周囲を巡り、前記金属枠体のリングの全周に沿って巻き付けられている、ことを特徴としている。
【００１９】
請求項６に記載された考案は、前記のように構成されているので、竹ざるのすのこ部の周縁部を縁取り部材により丸みを持たせて一層手触り良く、また、見栄え良く縁取りすることができる。
【考案の効果】
【００２０】
本願の考案は、前記のとおり、次のような効果を奏することができる。
縁取り部材を製造する工程で、素材の漂白と中和工程がなく、氷酢酸のような薬品を使用しないため、金属枠体の表面が薬品で腐食される問題が生じない。仮に、使用中に、金属枠体の表面に腐食、例えば、鉄錆が発生するという事態が起こっても、縁取り部材の素材が合成樹脂であるため、鉄錆がその内部に染み込まないので、その表面が変色することはない。このため、食品容器として、食感が殺がれるような悪い見栄えとなることはなく、縁取り部材の変色部から破断するようなことも生じず、竹ざるの耐久性が向上する。
また、合成樹脂素材の表面は、籐のような天然素材の表面のように細かい凹凸が無く、非常に滑らかなため、汚れが付きにくく、この面からも、竹ざるの耐久性が向上する。
さらに、縁取り部材としての合成樹脂素材は、安価であり、入手が容易である。
【００２１】
また、その合成樹脂は、ポリプロピレンとされており、ポリプロピレンは、食品容器の材料として一般的に使用されている合成樹脂であり、食品衛生上安全な材料であるので、安心して使用できる。
【００２２】
さらに、そのポリプロピレンは、顔料を混入されて、天然素材の籐の漂白された色に着色されているので、縁取り部材の素材が合成樹脂であるにもかかわらず、籐のような自然な色合いであり、竹ざるのすのこ部の周縁部の縁取り部材として違和感のない製品に竹ざるを仕上げることができる。また、顔料を混入したポリプロピレンの材質試験及び溶出試験を行ったが、全く問題はなく、竹ざるを安全な食品容器として製作することができる。
【００２３】
また、縁取り部材は、その両側端部の各々が、縁取り部材の横断面図において、縁取り部材がすのこ部の周縁部を縁取りしたとき内面となる側にわずかに湾曲させられており、しかも、先端に行くに従い先細る形状にされているので、縁取り部材により、竹ざるのすのこ部の周縁部を縁取りして行くに際して、湾曲部（先細形状部）が弾性復元して、すのこ部の周縁部の取り込みや、金属枠体の巻き込みを含めた、竹ざるの縁取り部の締め込みを十分に効かすことができることになり、強度の高い竹ざるを製作することができる。また、この部分を手触り良く仕上げることができる。
【００２４】
また、金属枠体は、亜鉛メッキされた鉄線材からなるので、金属枠体を安価に製作することができる。
【００２５】
さらに、すのこ部の周縁部には、それを上下に挟み、金属枠体の全周に沿うようにして、一対の断面円形のリング状の形状保持部材が、更に副えられており、縁取り部材が、一対の形状保持部材を内部に更に取り込みつつ、金属枠体の断面円形の周囲を巡り、金属枠体のリングの全周に沿って巻き付けられているので、竹ざるのすのこ部の周縁部を縁取り部材により丸みを持たせて一層手触り良く、また、見栄え良く縁取りすることができる。
【考案を実施するための形態】
【００２６】
以下に、本願の考案の竹ざるの好適な実施例を、図面を参照しつつ、詳細に説明する。
図１は、本実施例の竹ざるの全体斜視図、図２は、同竹ざるのすのこ部の周縁部を縁取りする縁取り部材の一部を解いて示す、同竹ざるの部分拡大図、図３は、図１のＩＩＩ−ＩＩＩ線矢視断面図、図４は、図３と同様の図であって、矢視線を他の個所に移して見た断面図、図５は、図２のＶ−Ｖ線矢視断面図であって、同縁取り部材の横断面図、図６は金属枠体（わっか１）の斜視図、図７は、形状保持部材（わっか２）の斜視図である。  
【００２７】
本実施例における竹ざる１は、そば、うどん、そうめんのような麺類を中心とした各種食品を盛り付けるために使用されるものであって、その外観構造は、図１に示されるように、複数本の縦竹ひご５と横竹ひご６との編組体からなるすのこ部２と、該すのこ部２の周縁部の全周を、長い帯ひも状の縁取り部材４で取り込み、巻き込んで、縁取りしてなる縁取り部３とからなっている。
【００２８】
すのこ部２において、縦竹ひご５としては、一対の縦竹ひご子の組が１本の縦竹ひご５をなすものとして、このような縦竹ひご５が５本、間隔を空けて配されており、これら５本の縦竹ひご５の表裏に、複数本の横竹ひご６が、隣接する横竹ひご６、６間で位相が１区間分（隣接する縦竹ひご５、５間分）だけずれるようにして、交互に通されて、全体が平面視布地のようにして編組されて、竹ざる１のすのこ部２が仕上げられている。
なお、竹ひごによる編組体の構成は、これに限られず、種々の態様が考えられる。また、その形状も、図示のような平面視円形のものに限られず、楕円形、矩形のものであっても良い。
【００２９】
すのこ部２の周縁部は、その全周が、縁取り部３の内部に取り込まれて、縁取り部３に内蔵される金属枠体７（わっか１、図２及び図３参照）に固定されるようになっている。縁取り部材４によるすのこ部２の周縁部の取り込みと縁取りは、すのこ部２の周縁部を金属枠体７に固定する個所を目隠して、そこの手触りを滑らかにするとともに、その固定を更に強固にして、竹ざる１の強度を高めるために行なわれるものである。
これらすのこ部２の周縁部の金属枠体７への固定、同周縁部の縁取り部材４による取り込みと縁取りの態様については、後で詳しく説明する。
【００３０】
縁取り部材４は、合成樹脂素材、特にポリプロピレンを使用して製作されており、実際には、このポリプロピレンに顔料を混入して、天然素材の籐の漂白された色に着色したものを使用して製作されている。
このようにして、ポリプロピレン素材を用いて製作された縁取り部材４は、ポリプロピレンそのものが、食品容器の材料として一般的に使用されており、食品衛生上安全な材料である上に、それに顔料を混入して、天然素材の籐の漂白された色に着色したものについても、材質試験及び溶出試験を行った結果、全く問題はなかった。したがって、このようにして製作された縁取り部材４を用いて、竹ざる１を安全な食品容器として製作することができる。合成樹脂素材としては、同じ効果を奏する素材であれば、ポリプロピレンに限られなくて良い。
【００３１】
なお、この縁取り部材４は、その両側端部の各々が、図５に示されるように、縁取り部材４の横断面図において、縁取り部材４がすのこ部２の周縁部を縁取りしたとき内面４ａとなる側にわずかに湾曲させられ、しかも、先端に行くに従い先細る嘴状の形状にされて、長い帯ひも状に成形加工して製作されている。
このようにすると、竹ざる１のすのこ部２の周縁部を縁取りして行くに際して、湾曲部（先細形状部）９が弾性復元して、すのこ部２の周縁部の取り込みや、後述する金属枠体７の巻き込みを含めた、竹ざる１の縁取り部３の締め込みを十分に効かすことができることになり、強度の高い竹ざるを製作することができる。また、この部分を一層手触り良く仕上げることができる。
【００３２】
次に、すのこ部２の周縁部の金属枠体７への固定、同周縁部の縁取り部材４による取り込みと縁取りの態様について、図２〜図７を参照しながら、詳しく説明する。
竹ざる１のすのこ部２の周縁部には、竹ざる１の補強材として、断面円形の円形リング状の金属枠体７（わっか１、特に図３及び図６参照）が副えられている。
この場合において、すのこ部２の隣接する横竹ひご６、６は、それらの端部が、交互に、上下から金属枠体７を挟んでいる。また、すのこ部２の縦竹ひご５は、図示はされないが、その端部が、上方から金属枠体７に接触させられている。
【００３３】
ここで、複数本の横竹ひご６の多くは、その端部が、図３に示されるように、リング状の金属枠体７の半径方向外方端よりもわずかにすのこ部２の内方に引っ込んだ長さにして裁断されているが、複数本の横竹ひご６の残りは、その端部が、図４に示されるように、金属枠体７の半径方向外方端を越えて折り曲げられ、金属枠体７にその端部を引っ掛けることができる長さにして裁断されている。
【００３４】
また、ここで、複数本の縦竹ひご５の多くは、その端部が、図示はされないが、複数本の横竹ひご６の多くと同様に、金属枠体７の半径方向外方端よりもわずかにすのこ部２の内方に引っ込んだ長さにして裁断されているが、複数本の縦竹ひご５の残りは、その端部が、図示はされないが、複数本の横竹ひご６の残りと同様に、金属枠体７の半径方向外方端を越えて折り曲げられ、金属枠体７にその端部を引っ掛けることができる長さにして裁断されている。
【００３５】
すのこ部２の周縁部には、また、それを上下に挟み、金属枠体７の全周に沿うようにして、一対の断面円形のリング状の形状保持部材８（わっか２、特に図３及び図７参照）が更に副えられている。この形状保持部材８の断面円形の径及びそのリングの径は、いずれも、金属枠体７のそれらよりも小さい。
【００３６】
このようにして、一対の形状保持部材８がすのこ部２の周縁部に副えられるとき、各形状保持部材８と金属枠体７とは、各横竹ひご６の端部（端部が金属枠体７を越えて折曲される場合には、その先端部を含む）をそれらの間に挟む。
また、このようにして、一対の形状保持部材８がすのこ部２の周縁部に副えられるとき、いずれか一方もしくは双方の形状保持部材８と金属枠体７とは、各縦竹ひご５の端部（端部が金属枠体７を越えて折曲される場合には、その先端部を含む）をそれらの間に挟む。ここで、「いずれか一方の形状保持部材８」は、「上方の形状保持部材８」に限られる。
【００３７】
このようにして、すのこ部２の周縁部に金属枠体７が副えられ、また、一対の形状保持部材８が更に副えられると、縁取り部材４が、すのこ部２の周縁部及び一対の形状保持部材７をその内部に取り込みつつ、金属枠体７の断面円形の周囲を巡り、金属枠体７のリングの全周に沿って巻き付けられる。これにより、すのこ部２が金属枠体７にしっかりと固定されるとともに、竹ざる１の周縁部（縁取り部３）が縁取り部材４により縁取りされて、竹ざる１が仕上げられる。縁取り部材４の金属枠体７の周囲への巻き付けは、実際には、複数本の縁取り部材４を用いて、同時並行的に行なわれる。  
【００３８】
金属枠体７は、亜鉛メッキされた鉄線材から製作されているので、安価であり、入手が容易である。そして、縁取り部材４が、ポリプロピレンを素材として製作されているので、その製作過程において、金属枠体７を酸化させるような薬品が残存することはなく、金属枠体７の鉄錆が発生することはない。仮に、使用中に、金属枠体７と縁取り部材４との接触部における機械的摩擦や、金属枠体７とすのこ部２の周縁部（縦竹ひご５、横竹ひご６の各端部）との接触部における機械的摩擦によって亜鉛メッキ層が剥離して、金属枠体７の表面に芯部の鉄の部分が露出して、鉄錆が生じるという事態が起こったとしても、縁取り部材４の素材が合成樹脂（ポリプロピレン）であるため、鉄錆がその内部に染み込むことはなく、その表面が変色することはない。
【００３９】
形状保持部材７は、従来、籐の中実部（木質部）を素材として製作されているが、今後、籐の入手が困難になることが予想されるので、縁取り部材４と同様、合成樹脂素材で製作されるか、竹ひごにより製作されても良い。
【００４０】
金属枠体７及び形状保持部材７は、いずれもリング状のものとされているが、ここでいう「リング状」とは、図示のような円形状に限られず、竹ざる１のすのこ部２の平面形状に合わせて、楕円形状、矩形状であっても良く、これらの形状を含むものとする。
【００４１】
本実施例は、前記のように構成されているので、次のような効果を奏することができる。
縁取り部材４を製造する工程で、素材の漂白と中和工程がなく、氷酢酸のような薬品を使用しないため、金属枠体７（わっか１）の表面が薬品で腐食される問題が生じない
仮に、使用中に、金属枠体７と縁取り部材４との機械的摩擦や、金属枠体７とすのこ部２の周縁部（縦竹ひご５、横竹ひご６の各端部）との機械的摩擦によって亜鉛メッキ層が剥離して、金属枠体７の表面に芯部の鉄の部分が露出して、鉄錆が生じるという事態が起こったとしても、縁取り部材４の素材が合成樹脂であるため、鉄錆がその内部に染み込まないので、その表面が変色することはない。このため、食品容器として、食感が殺がれるような悪い見栄えとなることはなく、縁取り部材４の変色部から破断するようなことも生じず、竹ざる１の耐久性が向上する。
また、合成樹脂素材の表面は、籐のような天然素材の表面のように細かい凹凸が無く、非常に滑らかなため、汚れが付きにくく、この面からも、竹ざる１の耐久性が向上する。
さらに、縁取り部材４としての合成樹脂素材は、安価であり、入手が容易である。
【００４２】
また、その合成樹脂は、ポリプロピレンとされており、ポリプロピレンは、食品容器の材料として一般的に使用されている合成樹脂であり、食品衛生上安全な材料であるので、安心して使用できる。
【００４３】
さらに、そのポリプロピレンは、顔料を混入されて、天然素材である籐の漂白された色に着色されているので、縁取り部材４の素材が合成樹脂であるにもかかわらず、籐のような自然な色合いであり、竹ざる１のすのこ部２の周縁部の縁取り部材４として違和感のない製品に竹ざる１を仕上げることができる。また、顔料を混入したポリプロピレンの材質試験及び溶出試験を行ったが、全く問題はなく、竹ざる１を安全な食品容器として製作することができる。
【００４４】
また、縁取り部材４は、その両側端部の各々が、縁取り部材４の横断面図において、縁取り部材４がすのこ部２の周縁部を縁取りしたとき内面４ａとなる側にわずかに湾曲させられており、しかも、先端に行くに従い先細る嘴状の形状にされているので、縁取り部材４により、竹ざる１のすのこ部２の周縁部を縁取りして行くに際して、湾曲部（先細形状部）９が弾性復元して、すのこ部２の周縁部の取り込みや、金属枠体７の巻き込みを含めた、竹ざる１の縁取り部３の締め込みを十分に効かすことができることになり、強度の高い竹ざる１を製作することができる。また、この部分を手触り良く仕上げることができる。
【００４５】
また、金属枠体７は、亜鉛メッキされた鉄線材からなるので、金属枠体７を安価に製作することができる。
【００４６】
さらに、すのこ部２の周縁部には、それを上下に挟み、金属枠体７の全周に沿うようにして、一対の断面円形のリング状の形状保持部材８（わっか２）が、更に副えられており、縁取り部材４が、一対の形状保持部材８を内部に更に取り込みつつ、金属枠体７の断面円形の周囲を巡り、金属枠体７のリングの全周に沿って巻き付けられているので、竹ざる１のすのこ部２の周縁部を縁取り部材４により丸みを持たせて一層手触り良く、また、見栄え良く縁取りすることができる。
【００４７】
その他、本願の考案は、前記実施例に限定されるものではなく、その要旨を逸脱しない範囲において、種々に変形されて良いものである。
【図面の簡単な説明】
【００４８】
【図１】本願の考案の実施例の竹ざるの全体斜視図である。
【図２】同竹ざるのすのこ部の周縁部を縁取りする縁取り部材の一部を解いて示す、同竹ざるの部分拡大図である。
【図３】図１のＩＩＩ−ＩＩＩ線矢視断面図である。
【図４】図３と同様の図であって、矢視線を他の個所に移して見た断面図である。
【図５】図２のＶ−Ｖ線矢視断面図であって、同縁取り部材の横断面図である。
【図６】金属枠体（わっか１）の斜視図である。
【図７】形状保持部材（わっか２）の斜視図である。
【図８】従来の竹ざるの部分拡大図である。
【符号の説明】
【００４９】
１…竹ざる、２…すのこ部、３…縁取り部、４…縁取り部材、４ａ…内面、５…縦竹ひご、６…横竹ひご、７…金属枠体（わっか１）、８…形状保持部材（わっか２）、９…湾曲部（先細形状部）。
【図１】
0003181371.tif 000003
【図２】
0003181371.tif 000004
【図３】
0003181371.tif 000005
【図４】
0003181371.tif 000006
【図５】
0003181371.tif 000007
【図６】
0003181371.tif 000008
【図７】
0003181371.tif 000009
【図８】
0003181371.tif 000010